(57)【要約】【課題】係止部、被係止部の配置の自由度が高いスナップフィット構造の提供を目的とする。【解決手段】連結側部材１に形成された係止部２に被係止部３を弾発係止させて被連結側部材４を連結するスナップフィット構造であって、  前記被係止部３が、前記係止部２との係止操作時に係止部２に干渉して弾性捩り変形する両端固定捩り梁として形成される。【選択図】  図７
2008111516.tif 000002
【特許請求の範囲】
【請求項１】
連結側部材に形成された係止部に被係止部を弾発係止させて被連結側部材を連結するスナップフィット構造であって、
前記被係止部が、前記係止部との係止操作時に係止部に干渉して弾性捩り変形する両端固定捩り梁として形成されるスナップフィット構造。
【請求項２】
前記被係止部は、固定端を含む梁主体部の長手方向ほぼ中心位置から前記係止部との干渉用突部を突設して形成される請求項１記載のスナップフィット構造。
【請求項３】
前記干渉用突部が、梁主体部との連結部を固定端とする片持梁として弾性変形可能な請求項２記載のスナップフィット構造。
【請求項４】
ケース内に収容された回路ユニットの制御スイッチを防水シールするシール体と、
制御スイッチをシール体越しに押圧操作するスイッチカバーとを有し、
前記ケースとスイッチカバーとが前記請求項１、２または３記載のスナップフィット構造により連結される電子装置。
【請求項５】
前記スイッチカバーは、カバー主体部の対向縁部裏面から制御スイッチの押圧操作方向に突設される一対の脚片を有するとともに、前記係止部は該脚片の自由端部から対向方向に突設され、
かつ、ケースに形成される被係止部が前記スイッチカバーの押し込み方向ストローク規制部材を兼ねる請求項４記載の電子装置。
【発明の詳細な説明】
【技術分野】
【０００１】
本発明は、スナップフィット構造に関するものである。
【背景技術】
【０００２】
一方の部材の弾性を利用して他方に係止させるスナップフィット構造としては、特許文献１に記載のものが知られている。この従来例は、電子装置のコントロール枠に押しボタンを装着する構造に関するもので、押しボタンには装着方向に長い脚片を備えた係止弾性爪が設けられる。
【０００３】
押しボタンをコントロール枠に押し込むと、脚片は片持梁として一旦ボタン内方に弾性変形した後、弾性復帰し、係止弾性爪がコントロール枠に係止する。
【特許文献１】実開平４-１４３２１号公報
【発明の開示】
【発明が解決しようとする課題】
【０００４】
上述した従来例において、弾性変形側部材（上記従来例では係止弾性爪）の他側への係止は、弾性変形側部材を片持梁として梁長手方向の直交する方向の撓み（図７（ａ）におけるδｙ）によって他側を通過させた後、片持梁を原形に弾性的に復帰させることにより行われる。
【０００５】
すなわち、上記従来例におけるスナップフィット構造は、図７（ａ）に示すように、移動操作側に弾性変形側部材が配置される場合であっても、あるいは、これと逆に、図７（ｂ）に示すように、移動操作側に非変形側部材が配置される場合であっても、長手方向が係止操作方向に沿い、係止操作方向に直交する方向に弾性変形する片持梁状の被係止部３を前提とする。
【０００６】
この結果、上述したスナップフィット構造は、係止操作方向線に沿って所定長の弾性変形側部材格納スペースを必要とし、部品配置の自由度が低いという問題がある。
【０００７】
これを解決するためには、図７（ｃ）に示すように、係止操作線に直交する方向に延びる片持梁を被係止部３として設定することも考えられるが、この場合には以下の問題がある。すなわち、係る片持梁を係止部２に弾発係止させるためには、係止部２の通過を許すに十分な変位（δｘ）を梁長手方向に発生させる必要がある。一般に梁長手方向に十分な変位（δｘ）を発生させるためには、大たわみ解として与えられるような十分な大きさの縦方向変位（δｙ）を必要とするために、現実的でない。
【０００８】
本発明は、以上の欠点を解消すべくなされたものであって、係止部、被係止部の配置の自由度が高いスナップフィット構造の提供を目的とする。
【０００９】
また、本発明の他の目的は、このスナップフィット構造を利用して小型化を図った電子装置の提供にある。
【課題を解決するための手段】
【００１０】
連結側部材１と被連結側部材４とのスナップフィットは、いずれか一方を他方に対して押し込むことにより行われ、押し込み操作によって、被連結側部材４に形成された被係止部３と連結部材側の係止部２とは押し込み操作線（係止操作方向線）に沿って相対移動する。被係止部３は、両端が被連結部材に固定されて変位が拘束された両端固定梁として形成され、梁長手方向が係止操作方向線にほぼ直交する面内に配置される。
【００１１】
この被係止部３は、押し込み操作力（係止操作力）により弾性的な捩り変形が可能な捩り剛性を有するように材料、断面形状等が決定され、捩り中心軸（Ｃ）から適宜間隔離れた位置に係止操作途上における係止部２との干渉部１２が設定される（図７（ｄ）、（ｃ）参照）。
【００１２】
係止部２と被係止部３とが操作方向線に沿って相対移動すると、まず、係止部２が被係止部３の干渉部１２に当接し、さらに操作を続けると、被係止部３には、捩り中心軸（Ｃ）から干渉部１２までの距離をアーム長（Ｌ）とする捩りモーメント（Ｍ）が負荷される。この結果、被係止部３は、中間に捩りモーメント（Ｍ）を受ける両端固定梁として挙動し、干渉部１２形成断面位置には所定の捩り角が発生する。
【００１３】
捩り角の発生により干渉部１２は捩り中心軸（Ｃ）方向、すなわち、係止部２との干渉解消方向に変位して係止部２の通過を許容した後、弾性的に原位置に復帰し、係止部２に係止する。
【００１４】
被係止部３の断面形状は適宜決定可能であるが、円形断面等、捩りモーメント（Ｍ）を負荷しにくい形状の場合には、梁主体部５から干渉用突部６を突設することができる。干渉用突部６は、以上のように、梁主体部５に捩りモーメント（Ｍ）を与える時の荷重受け部として形成する以外に、発生モーメントを増加させる目的で設けることもできる。すなわち、図７（ｅ）に示すように、梁主体部５から干渉用突部６を突設し、この干渉用突部６に係止部２を干渉させると、梁主体部５に直接係止部２を干渉させて干渉部１２’に操作力を付加する場合に比して被係止部３の捩り中心軸（Ｃ）からのアーム長（Ｌ）を長くすることができる。この結果、被係止部３に発生する捩りモーメント（Ｍ）が大きくなり、係止操作力を低減することができる。
【００１５】
したがってこの発明において、被係止部３は、係止操作線に沿って長い部材として形成する必要がなくなり、係止操作線方向のスペースが限られた場合であっても、スナップフィット構造を構築することができる。
【００１６】
以上のように、本発明のスナップフィット構造は、部品表層から浅い位置に係止位置を設定する必要がある場合の部品間の連結構造に適しており、回路ユニット７の機能を制御する制御スイッチ８へのスイッチカバー１の取り付けに使用できる。
【００１７】
すなわち、例えば、住居、乗用車等に設置された錠装置を遠隔操作するための錠操作用携帯器のように、携帯所持されて使用される電子装置は、濡れた手による操作等、内部への水の侵入機会が多く、必要な防水処理がなされる。防水処理が回路ユニット７をシール体９で覆うことにより達成される場合、回路ユニット７が構築される実装基板７ａ上に固定されることの多い回路動作に対する制御スイッチ８への操作をシール体９越しに行うためのスイッチカバー１がケース４に装着される。
【００１８】
スイッチカバー１とケース４とをスナップフィットさせる場合、スイッチカバー１の背面にはシール体９が全面に亙って配置されるために、スイッチカバー１の係止位置が表層から深くなると、シール体９配置を含めて装置に係止用スペースを確保する必要が生じ、装置の係止方向寸法が大きくなってしまう。
【００１９】
これに対し、ケース４の表層のみでスイッチカバー１の係止操作が完了する本発明においては、係止方向の厚み寸法を可及的に小さくすることが可能になる。
【発明の効果】
【００２０】
本発明によれば、係止部、被係止部の配置の自由度を高めることができる。
【発明を実施するための最良の形態】
【００２１】
図１に錠操作用携帯器に適用された本発明の実施の形態を示す。この実施の形態は、連結側部材１としてのスイッチカバーを被連結側部材４としてのケースにスナップフィットさせた構成例を示すもので、携帯器は、自動車、住居の錠装置と交信し、自動車の施解錠、あるいは住居の錠装置の施解錠状態の表示制御を行うために使用される。
【００２２】
図１、２に示すように、携帯器のケース（被連結側部材４）は、概ね楕円形状に形成され、内部に回路ユニット７が収容される。ケース４は、上ケース１３と下ケース１４とを適宜手段により連結して形成され、下ケース１４には、回路ユニット７の故障等に備えてメカニカルキー１５が楕円長軸方向に長手方向を向けた姿勢で取り出し可能に収容される。なお、図２において１６はメカニカルキー１５の着脱操作を行うための操作部材を示す。
【００２３】
上記回路ユニット７は、上述した錠装置と交信し、錠装置に対する遠隔操作を行うための交信回路を実装基板７ａ上に構築して形成され、ケース４の下ケース１４に固定される。また、実装基板７ａ上には、押下操作により交信回路の動作を制御するための制御スイッチ８が固定される。制御スイッチ８は、自動車の施解錠、および住居の錠装置の施解錠状態の表示制御操作に対応して３個、楕円長軸方向に並べて配置される。
【００２４】
上下ケース１４間には合成ゴムによりトレイ形状に形成されたシール体９が配置される。このシール体９は、辺縁部が上下ケース１３、１４により挟まれた状態で装着されて上下ケース１４の連結部からの浸水を防止し、さらに、下ケース１４を上方から覆って回路ユニット７を密閉する。
【００２５】
上記スイッチカバー（連結側部材１）は、上記シール体９越しに各制御スイッチ８を押下するために上ケース１３に装着される。図５に示すように、スイッチカバー１は、プレート状のカバー主体部１０の裏面から突出する押圧突部１ａを備え、合成樹脂材の表面にメッキ、あるいは金属蒸着により金属光沢皮膜を成膜して形成される。押圧突部１ａは、カバー主体部１０の裏面中央部に配置され、スイッチカバー１をケース４に装着した状態で制御スイッチ８に正対する。
【００２６】
また、スイッチカバー１のカバー主体部１０の裏面には脚片１１が立設される。脚片１１は、カバー主体部１０の対向側縁部に配置され、各脚片１１の自由端には、対向方向に突出する係止部２が形成される。後述するように、係止部２を被係止部３に弾発係止させる際に、脚片１１の基端の撓み量が過大になって金属光沢皮膜に割れ等が発生しないように、脚片１１の基端は、十分な肉厚を有するように形成される。肉厚付与による補強部を図５（ｃ）においてハッチングを施して示す。
【００２７】
図４に示すように、スイッチカバー１を装着するために、上ケース１３にはカバー嵌合穴１３ａが開設される。各カバー嵌合穴１３ａの中心には、楕円長軸方向に横断するように支柱梁１７が架設され、支柱梁１７の中心部に上記スイッチカバー１の押圧突部１ａが挿入する挿入孔１７ａが開設される。
【００２８】
また、上ケース１３には、上記支柱梁１７を両側から挟むように、２個の被係止部３が配置される。被係止部３は、上ケース１３から肉つながりで上記支柱梁１７に沿って配置されるほぼ横長矩形断面形状の梁主体部５の中心から干渉用突部６を突出させて形成される。図６（ｂ）に示すように、干渉用突部６は、押圧突部１ａが挿入孔１７ａにガイドされて押下された際に、スイッチカバー１の係止部２が当接する位置に設けられる。
【００２９】
したがってこの実施の形態において、携帯器の組み立ては、図３に示すように、下ケース１４に回路ユニット７をセットした後、シール体９を載置し、上ケース１３を下ケース１４に連結して行われる。上ケース１３の固定によりシール体９は、下ケース１４の上面を全面に亙って覆うことにより回路ユニット７を防水する。
【００３０】
一方、上ケース１３へのスイッチカバー１の連結は、カバー嵌合穴１３ａにはめ込むようにしてスイッチカバー１を押し込んで行われる。押圧突部１ａを挿入孔１７ａに挿入してスイッチカバー１を押し込むと、図６に示すように、係止部２が上ケース１３側の被係止部３に当接し、さらに押し込むと、干渉用突部６が係止部２により押圧される。
【００３１】
干渉用突部６への垂直荷重の負荷により、図７（ｄ）（ｅ）に示すように、両端固定梁状の被係止部３には捩りモーメント（Ｍ）が発生し、被係止部３は、捩り中心軸（Ｃ）回りに所定の撓み角だけ弾性的に捩り変形するとともに、干渉用突部６は、梁主体部５との基端を固定端とする片持梁として弾性変形する。
【００３２】
これら梁主体部５の捩り変形と、干渉用突部６の曲げ変形とにより、干渉用突部６は係止部２との干渉位置から一旦退避して係止部２の通過を許容した後、再び原形に復帰し、以後、係止部２の脱離方向への移動を規制する。
【００３３】
図１（ｂ）に示すように、スイッチカバー１をケース４にスナップフィットさせた状態で、スイッチカバー１は、制御スイッチ８の原位置復帰力により上方に押され、係止部２が干渉用突部６の裏面に当接する初期位置に停止する。この状態からスイッチカバー１を押し込むと、図１（ｂ）に示すように、スイッチカバー１の押圧突部１ａがシール体９越しに制御スイッチ８を押下し、所定の動作が行われる。制御スイッチ８への過剰な押下操作力の負荷を防止するために、スイッチカバー１は被係止部３に当接して押下方向ストローク終端位置が規制される。
【図面の簡単な説明】
【００３４】
【図１】本発明が適用された携帯器を示す図で、（ａ）は平面図、（ｂ）は（ａ）の１Ｂ-１Ｂ線断面図、（ｃ）は制御スイッチ押下操作状態を示す（ａ）の１Ｂ-１Ｂ線断面図である。
【図２】携帯器の分解斜視図である。
【図３】図２のスイッチカバー部の断面図である。
【図４】上カバーを示す図で、（ａ）は平面図、（ｂ）は裏面図、（ｃ）は（ａ）の４Ｃ-４Ｃ線断面図、（ｄ）は（ｃ）の被係止部の拡大図である。
【図５】スイッチカバーを示す図で、（ａ）は裏面方向から見た斜視図、（ｂ）は裏面図、（ｃ）は（ｂ）の５Ｃ-５Ｃ線断面図である。
【図６】スイッチカバーの装着状態を示す図で、（ａ）はスイッチカバー装着前の状態を示す図、（ｂ）は係止部が被係止部に当接した状態を示す図である。
【図７】本発明の動作を示す図で、（ａ）は従来のスナップフィット構造を示す説明図、（ｂ）は（ａ）の変形を示す説明図、（ｃ）は（ａ）の他の変形を示す説明図、（ｄ）は本発明を示す斜視説明図、（ｅ）は（ｄ）の断面図である。
【符号の説明】
【００３５】
１        連結側部材
２        係止部
３        被係止部
４        被連結側部材
５        梁主体部
６        干渉用突部
７        回路ユニット
８        制御スイッチ
９        シール体
１０      カバー主体部
１１      脚片
【図１】
2008111516.tif 000003
【図２】
2008111516.tif 000004
【図３】
2008111516.tif 000005
【図４】
2008111516.tif 000006
【図５】
2008111516.tif 000007
【図６】
2008111516.tif 000008
【図７】
2008111516.tif 000009